(57)【要約】      （修正有）【課題】商品等の物品を収容した包装用箱の閉封状態を強固に保持し、開封された場合に、その視認が容易となる包装用箱を提供する。【解決手段】開口部１４を有し、開口部１４から物品を収容する容器本体部１２と、開口部１４を閉封する閉封部１３とを備える包装用箱であって、重合部３５と、重合部３５に折線を介して連設され、重合部３５の内面に重ねて固定される係止フラップ３６と、係止フラップ３６が挿通して係合する被係止部３７と、破断部３８とを有し、開口部１４から容器本体部１２に物品を収容し、閉封部１３によって開口部１４を閉封し、係止フラップ３６を被係止部３７に挿通して、係止フラップ３６と被係止部３７とを係合するとともに開口部１４の閉封を保持し、物品を容器本体部１２から取り出す際には、破断部３８を破断して取り出す。【選択図】図２
0003189143.tif 000002
【実用新案登録請求の範囲】
【請求項１】
開口部を有し、当該開口部から物品を収容する容器本体部と、
前記開口部を閉封する閉封部と、を備える包装用箱であって、
重合部と、
前記重合部に折線を介して連設され、前記重合部の内面に重ねて固定される係止フラップと、
前記係止フラップが挿通して係合する被係止部と、
破断部と、を有し、
前記開口部から前記容器本体部に物品を収容し、前記閉封部によって前記開口部を閉封し、前記係止フラップを前記被係止部に挿通して、前記係止フラップと前記被係止部とを係合するとともに前記開口部の閉封を保持し、前記物品を前記容器本体部から取り出す際には、前記破断部を破断して取り出すことを特徴とする包装用箱。
【請求項２】
請求項１に記載の包装用箱であって、
前記容器本体部は、複数の壁板を有し、
前記開口部は、前記壁板の端縁で構成する第一口縁部を有し、
前記閉封部は、複数の閉封フラップを有し、当該閉封フラップは、そのうちの一が前記第一口縁部に連設される第一閉封フラップであり、
前記第一閉封フラップの前記第一口縁部と対向する側に、前記重合部を連設し、
前記重合部に折線を介して前記係止フラップを連設し、
前記容器本体部又は前記第一閉封フラップを除く前記閉封フラップに、前記被係止部を設けることを特徴とする包装用箱。
【請求項３】
請求項２に記載の包装用箱であって、
前記第一閉封フラップに、前記開口部を閉封する第一被覆部と、前記容器本体部に被さる第二被覆部と、を設け、
前記被係止部を前記容器本体部に設けることを特徴とする包装用箱。
【請求項４】
請求項２又は請求項３に記載の包装用箱であって、
前記開口部は、前記第一口縁部と対向する側に、前記壁板の端縁で構成する第二口縁部と、前記第一口縁部に隣接する側に、前記壁板の端縁で構成する第三口縁部と、を有し、
前記閉封部は、前記第二口縁部に連設される第二閉封フラップと、前記第三口縁部に連設される第三閉封フラップと、を有し、
前記第二閉封フラップの前記第二口縁部と対向する側に、前記開口部の閉封状態において、前記第一口縁部を構成する壁板の内面と前記第三閉封フラップとの間隙に差し込まれる差込フラップを連設し、
前記破断部を、前記第一閉封フラップ又は／及び前記第一口縁部を構成する壁板であって、前記開口部の閉封状態において前記差込フラップと重なる領域の内側に設けることを特徴とする包装用箱。
【請求項５】
請求項１から請求項４のいずれか一項に記載の包装用箱であって、
前記係止フラップを前記被係止部に挿通した状態において、前記係止フラップの前記被係止部と近接する側の端縁が係止端縁部を構成し、当該係止端縁部の端面が係止端面部を構成し、前記被係止部の前記係止端面部と対向する側の端縁が被係止端縁部を構成し、当該被係止端縁部の端面が被係止端面部を構成し、
前記係止端面部が前記被係止端面部と接触して、前記係止フラップと前記被係止部とが係合することを特徴とする包装用箱。
【請求項６】
請求項５に記載の包装用箱であって、
前記係止端面部に、第一係合状態において前記被係止端面部と接触する第一係合接触部と、
前記第一係合状態においては前記被係止端面部と非接触であって、第二係合状態において前記被係止端面部と接触する第二係合接触部と、を有することを特徴とする包装用箱。
【請求項７】
請求項５又は請求項６に記載の包装用箱であって、
少なくとも前記被係止端面部と接触する領域の係止端面部の係止端縁部が、非直線形状であることを特徴とする包装用箱。
【請求項８】
請求項５から請求項７のいずれか一項に記載の包装用箱であって、
少なくとも前記被係止端面部と接触する領域の係止端面部の係止端縁部が、前記第一口縁部に対して傾斜していることを特徴とする包装用箱。
【考案の詳細な説明】
【技術分野】
【０００１】  本考案は、包装用箱に関し、より詳細には不正な開封や内容物の改竄を防止する機能を備えた包装用箱に関する。
【背景技術】
【０００２】  従来、商品等の物品を包装する容器として、容器本体部の開口部から商品等を収容し、当該開口部を蓋部で閉封する包装用箱が知られている。この包装用箱が簡単に開封するものである場合には、例えば、陳列された商品等の包装用箱が簡単に開封されて、商品等が不正に取り出され、これに気付かず購入した者が損害を被る場合がある。そこで、簡単に開封されないように封緘紙を貼り付ける等の処置が従来よりなされている。しかし、封緘紙を貼り付ける作業は煩雑であり、また、封緘紙が損傷しないように剥がして開封され、再び閉封された場合には、不正な開封があったことが発見し難かった。
そこで、蓋部に係止片を設け、係止片を容器本体部に係止させることにより開封しにくくした収容容器が知られている（例えば、特許文献１参照）。
【先行技術文献】
【特許文献】
【０００３】
【特許文献１】特開２００７−７６６８４号公報
【０００４】  しかしながら、特許文献１の収容容器では、蓋部の係止片は、蓋部を開封する方向に回動させると係止片が容器本体部に対して抜け易い方向に向けて形成されている。このため、収容容器の閉封状態を強固に保持できるものではなく、また、一旦開封された後に再び閉封されれば、不正な開封があったことが発見し難い。
【考案の概要】
【考案が解決しようとする課題】
【０００５】  本考案は、上記問題を解決すべくなされたものである。本考案の目的は、商品等の物品を収容した包装用箱の閉封状態を強固に保持し、開封された場合に、その視認が容易となる包装用箱の提供である。
【課題を解決するための手段】
【０００６】  本考案の解決しようとする課題は以上の如くであり、次にこの課題を解決するための手段を説明する。【０００７】  第１の考案では、
開口部を有し、当該開口部から物品を収容する容器本体部と、
前記開口部を閉封する閉封部と、を備える包装用箱であって、
重合部と、
前記重合部に折線を介して連設され、前記重合部の内面に重ねて固定される係止フラップと、
前記係止フラップが挿通して係合する被係止部と、
破断部と、を有し、
前記開口部から前記容器本体部に物品を収容し、前記閉封部によって前記開口部を閉封し、前記係止フラップを前記被係止部に挿通して、前記係止フラップと前記被係止部とを係合するとともに前記開口部の閉封を保持し、前記物品を前記容器本体部から取り出す際には、前記破断部を破断して取り出すことを特徴とする。【０００８】  第２の考案では、第１の考案であって、
前記容器本体部は、複数の壁板を有し、
前記開口部は、前記壁板の端縁で構成する第一口縁部を有し、
前記閉封部は、複数の閉封フラップを有し、当該閉封フラップは、そのうちの一が前記第一口縁部に連設される第一閉封フラップであり、
前記第一閉封フラップの前記第一口縁部と対向する側に、前記重合部を連設し、
前記重合部に折線を介して前記係止フラップを連設し、
前記容器本体部又は前記第一閉封フラップを除く前記閉封フラップに、前記被係止部を設けることを特徴とする。【０００９】  第３の考案では、第２の考案であって、
前記第一閉封フラップに、前記開口部を閉封する第一被覆部と、前記容器本体部に被さる第二被覆部と、を設け、
前記被係止部を前記容器本体部に設けることを特徴とする。【００１０】  第４の考案では、第２又は第３の考案であって、
前記開口部は、前記第一口縁部と対向する側に、前記壁板の端縁で構成する第二口縁部と、前記第一口縁部に隣接する側に、前記壁板の端縁で構成する第三口縁部と、を有し、
前記閉封部は、前記第二口縁部に連設される第二閉封フラップと、前記第三口縁部に連設される第三閉封フラップと、を有し、
前記第二閉封フラップの前記第二口縁部と対向する側に、前記開口部の閉封状態において、前記第一口縁部を構成する壁板の内面と前記第三閉封フラップとの間隙に差し込まれる差込フラップを連設し、
前記破断部を、前記第一閉封フラップ又は／及び前記第一口縁部を構成する壁板であって、前記開口部の閉封状態において前記差込フラップと重なる領域の内側に設けることを特徴とする。【００１１】  第５の考案では、第１から第４のいずれかの考案であって、
前記係止フラップを前記被係止部に挿通した状態において、前記係止フラップの前記被係止部と近接する側の端縁が係止端縁部を構成し、当該係止端縁部の端面が係止端面部を構成し、前記被係止部の前記係止端面部と対向する側の端縁が被係止端縁部を構成し、当該被係止端縁部の端面が被係止端面部を構成し、
前記係止端面部が前記被係止端面部と接触して、前記係止フラップと前記被係止部とが係合することを特徴とする。【００１２】  第６の考案では、第５の考案であって、
前記係止端面部に、第一係合状態において前記被係止端面部と接触する第一係合接触部と、
前記第一係合状態においては前記被係止端面部と非接触であって、第二係合状態において前記被係止端面部と接触する第二係合接触部と、を有することを特徴とする。【００１３】  第７の考案では、第５又は第６の考案であって、
少なくとも前記被係止端面部と接触する領域の係止端面部の係止端縁部が、非直線形状であることを特徴とする。【００１４】  第８の考案では、第５から第７のいずれかの考案であって、
少なくとも前記被係止端面部と接触する領域の係止端面部の係止端縁部が、前記第一口縁部に対して傾斜していることを特徴とする。
【考案の効果】
【００１５】  本考案の効果として、以下に示す効果を奏する。【００１６】  本考案によれば、極めて簡単な構成でありながら、係止フラップと被係止部との係合により、物品を収容した包装用箱の閉封状態を強固に保持することができる。また、容器本体部に収容された物品を取り出す際には破断部を破断する必要があるため、物品を収容して閉封した後に破断部が破断されれば、開封された場合に、その視認が容易となる。
【図面の簡単な説明】
【００１７】
【図１】本考案の第一実施形態に係る包装用箱１１の展開体１の平面図。
【図２】本考案の第一実施形態に係る包装用箱１１の斜視図。
【図３】本考案の第一実施形態に係る包装用箱１１の斜視図。
【図４】本考案の第一実施形態に係る包装用箱１１の係止フラップ３６を被係止部３７へ挿通した状態を容器本体部１２内面側から見た部分拡大斜視図。
【図５】（ａ）は、本考案の第一実施形態に係る包装用箱１１の第一係合状態を容器本体部１２内面側から見た部分簡略図。（ｂ）は、（ａ）に示すＸ方向の部分拡大断面図。（ｃ）は、（ａ）に示すＹ方向の部分拡大断面図。
【図６】（ａ）は、本考案の第一実施形態に係る包装用箱１１の第二係合状態を容器本体部１２内面側から見た部分簡略図。（ｂ）は、（ａ）に示すＸ方向の部分拡大断面図。（ｃ）は、（ａ）に示すＹ方向の部分拡大断面図。
【図７】本考案の第一実施形態に係る包装用箱１１の斜視図。
【図８】本考案の第一実施形態に係る包装用箱１１の斜視図。
【図９】本考案の第二実施形態に係る包装用箱１１１の展開体２の平面図。
【図１０】本考案の第二実施形態に係る包装用箱１１１の斜視図。
【図１１】本考案の第二実施形態に係る包装用箱１１１の斜視図。
【図１２】本考案の第二実施形態に係る包装用箱１１１の斜視図。
【図１３】その他の実施形態に係る包装用箱２１１の斜視図。
【考案を実施するための形態】
【００１８】  次に、本考案の実施の形態について図１から図１３を用いて説明する。
【００１９】  以下に説明する本考案の第一実施形態に係る包装用箱１１、第二実施形態に係る包装用箱１１１は、食品や医薬品等の物品４を包装するものとして用いられる。これらは板紙を用いて作成されるものであるが、段ボールシートやプラスチックシートなど他の板状部材で作成することもできる。
【００２０】  本考案を説明するにあたっては、容器本体部１２及び閉封部１３、１１３を組み立てて、物品４を容器本体部１２に収容可能とした状態を組み立て完成状態とし、閉封部１３、１１３によって開口部１４、１１４を閉封した状態を閉封状態とし、係止フラップ３６、１３６と被係止部３７、１３７とが係合した状態を閉封保持状態とする。また、破断部３８、１３８を破断して包装用箱１、１１１から物品４を取り出し可能とした状態を破断状態とする。
【００２１】  ［第一実施形態］
本考案の第一実施形態に係る包装用箱１１について、図１から図８を用いて説明する。
【００２２】  包装用箱１１は、図１に示す展開体１を組み立てて形成するものである。
包装用箱１１は、側部を構成する複数の壁板２１、２２、２３、２４と底部を構成する複数の壁板２６、２７、２８、２９とが、開口部１４を有する容器本体部１２を形成し、開口部１４を閉封部１３が閉封するものである。
【００２３】  まず、包装用箱１１の構成について、図１に示す展開体１に従って説明する。
図１に示す展開体１は、包装箱１１の外面となる側を紙面手前側として示している。
なお、本実施形態の説明の便宜上、図１においては展開体１の図示上側を上側とし、これと反対側を下側として説明する。
【００２４】  容器本体部１２の側部は、壁板２１、２２、２３、２４と、接続板２５からなる。具体的には、壁板２１の左側に折線４０を介して壁板２２を、壁板２２の左側に折線４１を介して壁板２３を、壁板２３の左側に折線４２を介して壁板２４を連設している。壁板２４の左側には折線４３を介して接続板２５を連設している。
壁板２２の上側の端縁は第一口縁部４９を、壁板２４の上側の端縁は第二口縁部５１を、壁板２１の上側の端縁は第三口縁部４８を、壁板２３の上側の端縁は第三口縁部５０を構成して、組み立て完成状態における開口部１４を形成する。
壁板２４には、後述する係止フラップ３６が挿通して係合する被係止部３７を形成している。
被係止部３７は、下側に膨出する湾曲形状の切線と上側に膨出する湾曲形状の切線とで形成している。被係止部３７の上側の端縁は、被係止端縁部３７ａと被係止端縁部３７ｂとを形成している。被係止端縁部３７ａの端面は、被係止端面部３７ａａを構成する。被係止端縁部３７ｂの端面は、被係止端面部３７ｂｂを構成する。
【００２５】  容器本体部１２の底部は、壁板２６、２７、２８、２９からなる。具体的には、壁板２１の下側に折線４４を介して壁板２６を、壁板２２の下側に折線４５を介して壁板２７を、壁板２３の下側に折線４６を介して壁板２８を、壁板２４の下側に折線４７を介して壁板２９を、夫々連設している。
【００２６】  閉封部１３は、第一閉封フラップ３１、第二閉封フラップ３３、第三閉封フラップ３０、３２からなる。具体的には、壁板２２の上側の端縁に第一口縁部４９を介して第一閉封フラップ３１を、壁板２４の上側の端縁に第二口縁部５１を介して第二閉封フラップ３３を、壁板２１の上側の端縁に第三口縁部４８を介して第三閉封フラップ３０を、壁板２３の上側の端縁に第三口縁部５０を介して第三閉封フラップ３２を、夫々連設している。第一口縁部４９上には切線を断続的に設けている。第二口縁部５１上、第三口縁部４８、５０上には折線を設けている。第三口縁部４８、５０上の折線は、上側に緩やかに膨出する湾曲形状としている。
第一閉封フラップ３１は、包装用箱１１の閉封状態において開口部１４を被覆する第一被覆部３１ａと、壁板２４の上側を被覆する第二被覆部３１ｂとからなる。第一被覆部３１ａには、略Ｌ字形状の切線が連続する破断部３８を平行して設けている。
第一閉封フラップ３１の上側には、後述する係止フラップ３６が重ねて固定される重合部３５を連設している。
重合部３５の上側には、折線５２を介して係止フラップ３６を連設している。係止フラップ３６の上側の端縁は、わずかに湾曲形状（非直線形状）であって、第一口縁部４９に対して傾斜する係止端縁部３６ａと、上側に膨出する湾曲形状（非直線形状）の係止端縁部３６ｂとを形成している。係止端縁部３６ａの端面は係止端面部３６ａａ及び第一係合接触部３６ａａａを、係止端縁部３６ｂの端面は係止端面部３６ｂｂ及び第二係合接触部３６ｂｂｂを構成する。第一係合接触部３６ａａａ、第二係合接触部３６ｂｂｂについては、後述する。
また、第二閉封フラップ３３の上側には、折線５３を介して差込フラップ３４を連設している。
【００２７】  次に、包装用箱１１の組み立てについて図１、図２に従って説明する。
図２は、組み立て完成状態の包装用箱１１の開口部１４から物品４を収容する状態を示す斜視図である。
まず、容器本体部１２の組み立てについて説明する。
容器本体部１２の側部は、折線４０、４１、４２、４３に沿って夫々壁板２１、２２、２３、２４、及び接続板２５を折り曲げて、壁板２１の内面と接続板２５の外面とを固定して筒状に形成する。この状態において、第一口縁部４９、第二口縁部５１、第三口縁部４８、５０は開口部１４を形成する。容器本体部１２の底部は、折線４４、４５、４６、４７に沿って壁板２６、２７、２８、２９を筒体内側へ折り曲げ、壁板２６と壁板２７を固定し、壁板２８と壁板２９を固定するとともにこれらを組み合わせて形成する。
【００２８】  次に、閉封部１３の組み立てについて説明する。
閉封部１３は、重合部３５と係止フラップ３６との間の折線５２に沿って係止フラップ３６を折り曲げ、重合部３５の内面に重ねて固定する。本実施形態ではエマルジョン接着剤を用いて、係止フラップ３６の係止端縁部３６ａ、係止端縁部３６ｂが重合部３５と密着するように固定している。
【００２９】  上記のように、容器本体部１２、閉封部１３を組み立てることで包装用箱１１は組み立て完成状態となる。
【００３０】  次に、開口部１４の閉封と閉封保持（係止フラップ３６と被係止部３７との係合）について、図２から図６に従って説明する。
図３は、包装用箱１１の閉封状態、及び閉封保持状態を示す斜視図である。
図４は、包装用箱１１の係止フラップ３６を被係止部３７へ挿通した状態を容器本体部１２内面側から見た部分拡大斜視図であり、説明容易のため、係止フラップ３６と被係止部３７との間隔を広げて表している。
図５（ａ）は、係止フラップ３６を被係止部３７に挿通して係合した状態であって、第一係合状態を容器本体部１２内面側から見た部分簡略図である。図５（ｂ）は、図５（ａ）に示すＸ方向の部分拡大断面図であり、図５（ｃ）は、図５（ａ）に示すＹ方向の部分拡大断面図である。
図６（ａ）は、係止フラップ３６を被係止部３７に挿通して係合した状態であって、第二係合状態を容器本体部１２内面側から見た部分簡略図である。図６（ｂ）は、図６（ａ）に示すＸ方向の部分拡大断面図、図６（ｃ）は、図６（ａ）に示すＹ方向の部分拡大断面図である。
物品４を開口部１４から容器本体部１２に収容した後、まず、第三閉封フラップ３０を第三口縁部４８上の折線に沿って折り曲げて、開口部１４側に被せる。同様に、第三閉封フラップ３２を第三口縁部５０上の折線に沿って折り曲げて、開口部１４側に被せる。続いて、第二閉封フラップ３３を第二口縁部５１上の折線に沿って折り曲げて、開口部１４側に被せる。第二閉封フラップ３３は、第三閉封フラップ３０、３２の上面に重なる。そして、差込フラップ３４を折線５３に沿って折り曲げて、第三閉封フラップ３０、３２の端面と壁板２２の内面との間に差し込む。
次に、第一閉封フラップ３１を第一口縁部４９上の切線に沿って折り曲げて、開口部１４側に被せる。本実施形態においては、第一閉封フラップ３１に設けた第一被覆部３１ａが第二閉封フラップ３３の上面に重なる。続いて、破断部３８に沿って第二被覆部３１ｂを壁板２４側に折り曲げ、壁板２４に被せる。この状態において、第一閉封フラップ３１、第二閉封フラップ３３、第三閉封フラップ３０、３２が開口部１４を閉封した閉封状態となる。そして、重合部３５、及び重合部３５の内面に重ねて固定した係止フラップ３６を、壁板２４に形成した被係止部３７に差し込んで挿通させる。すると、係止フラップ３６と被係止部３７とが係合して、開口部１４の閉封を保持する。この状態において、包装用箱１１は、閉封保持状態となる。
なお、本実施形態においては、第三口縁部４８、５０上に設けた折線は緩やかな湾曲形状であるため、閉封状態において第三閉封フラップ３０、３２は第二閉封フラップ３３、第一閉封フラップ３１の撓みに沿い、フラップ間の隙間が軽減されている。
【００３１】  次に、係止フラップ３６と被係止部３７の係合について、図４から図６に従って詳細に説明する。
図４に示すように、係止フラップ３６を被係止部３７に挿通した状態において、係止フラップ３６の被係止部３７と近接する側の端縁は、係止端縁部３６ａ、３６ｂを形成している。係止端縁部３６ａの端面は、係止端面部３６ａａを構成している。係止端縁部３６ｂの端面は、係止端面部３６ｂｂを構成している。また、被係止部３７の係止端面部３６ａａ、３６ｂｂと対向する側の端縁は被係止端縁部３７ａ、３７ｂを形成している。被係止端縁部３７ａの端面は被係止端面部３７ａａを、被係止端縁部３７ｂの端面は被係止端面部３７ｂｂを構成している。
また、係止端面部３６ａａは、後述する第一係合状態において被係止端面部３７ａａと接触する第一係合接触部３６ａａａを構成し、係止端面部３６ｂｂは、第一係合状態においては被係止端面部３７ａａ、３７ｂｂと非接触であって、後述する第二係合状態において被係止端面部３７ｂｂと接触する第二係合接触部３６ｂｂｂを構成している。
【００３２】  第一係合状態について説明する。
第一係合状態とは、図５（ａ）（ｂ）に示すように、第一閉封フラップ３１が開口部１４を閉封し、係止フラップ３６が被係止部３７に挿通して、係止フラップ３６と被係止部３７とを係合した際に生ずる係合状態であって、本実施形態においては、第一係合接触部３６ａａａが被係止端面部３７ａａと接触して係止フラップ３６と被係止部３７とが係合する。一方、この状態において第二係合接触部３６ｂｂｂは、図５（ａ）（ｃ）に示すように、被係止端面部３７ａａ、被係止端面部３７ｂｂとは非接触であり、第二係合接触部３６ｂｂｂと被係止端縁部３７ｂｂとの間には、隙間１００が生じている。
【００３３】  第二係合状態について説明する。
第二係合状態とは、図６（ａ）（ｂ）に示すように、第一係合状態にある包装用箱１１を開封すべく、第一閉封フラップ３１に開封する方向の力が加えられて、係止フラップ３６が開封する方向へ移動した場合に生ずる係止フラップ３６と被係止部３７との係合状態である。
第一閉封フラップ３１に加えられた開封する方向への力によって係止フラップ３６は開封する方向へ引っ張られ、例えば、被係止端面部３７ａａが係止フラップ３６と重合部３５との間に入り込んだり、係止端面部３６ａａや被係止端面部３７ａａが損傷するなどして（図示しない）、係止フラップ３６が開口部１４側へ引き上げられることにより係止フラップ３６が開口部１４側へ移動する場合がある。
このような場合、本実施形態においては、図６（ａ）（ｃ）に示すように、第一係合状態においては被係止端面部３７ａａ、被係止端面部３７ｂｂと非接触であった第二係合接触部３６ｂｂｂが被係止端面部３７ｂｂと接触して、係止フラップ３６と被係止部３７との係合を継続する。
【００３４】  つまり、第一閉封フラップ３１が開口部１４を閉封し、係止フラップ３６が被係止部３７に挿通した際に、第一係合接触部３６ａａａ（係止端面部３６ａａ）が被係止端面部３７ａａと接触して係止フラップ３６と被係止部３７とが係合し（第一係合状態）、第一閉封フラップ３１に開封する方向の力が加えられて係止フラップ３６が開封する方向へ移動した場合には、第二係合接触部３６ｂｂｂ（係止端面部３６ｂｂ）と被係止端面部３７ｂｂとが接触して係止フラップ３６が被係止部３７と係合し（第二係合状態）、閉封保持状態となる。
【００３５】  次に、包装用箱１１の破断状態について、図７に従って説明する。
図７は、破断部３８を破断して、物品４を取り出す状態を示す斜視図である。
容器本体部１２に収容された物品４を取り出す際には、第一被覆部３１ａに形成した平行する破断部３８を破断して、帯状部を取り除く。この状態において、包装用箱１１は、収容された物品４を取り出し可能な破断状態となる。そして、破断により可動となった第一被覆部３１ａを開封する方向へ回動して第二閉封フラップ３３を露出させ、差込フラップ３４と壁板２２との間に手指を差し込み、差込フラップ３４を壁板２２の内面と第三閉封フラップ３０、３２の端面との間から引き抜き、第二閉封フラップ３３を開口する方向へ回動し、さらに、第三閉封フラップ３０、３２を開封する方向に回動すれば、開口部１４から物品４を取り出すことができる。
【００３６】  物品４を取り出した後に、再び開口部１４を閉封する場合には、第三閉封フラップ３０、３２、第二閉封フラップ３３を開口部１４側に回動させて被せ、差込フラップ３４を壁板２２の内面と第三閉封フラップ３０、３２の端面との間に差し込めば、閉封状態が保持される。
このとき、第一口縁部４９上に設けた切線に沿って、第一被覆部３１ａを切り離してもよい。
なお、破断部３８は、第一口縁部４９を構成する壁板２２であって、開口部１４の閉封状態において差込フラップ３４と重なる領域の内側に設けてもよく、この場合もまた上記と同様に、開封後は差込フラップ３４を壁板２２の内面と第三閉封フラップ３０、３２の端面との間に差し込めば、開口部１４の閉封を保持することができる。
【００３７】  本実施形態による包装用箱１１は、開口部１４を有し、開口部１４から物品４を収容する容器本体部１２と、開口部１４を閉封する閉封部１３と、を備える包装用箱１１であって、重合部３５と、重合部３５に折線５２を介して連設され、重合部３５の内面に重ねて固定される係止フラップ３６と、係止フラップ３６が挿通して係合する被係止部３７と、破断部３８とを有し、開口部１４から容器本体部１２に物品４を収容し、閉封部１３によって開口部１４を閉封し、係止フラップ３６を被係止部３７に挿通して係止フラップ３６と被係止部３７とを係合するとともに開口部１４の閉封を保持し、物品４を容器本体部１２から取り出す際には、破断部３８を破断して取り出す。
【００３８】  本考案によれば、極めて簡単な構成でありながら、係止フラップ３６と被係止部３７との係合により、閉封部１３が開封する方向へ移動するのを阻止して、物品４を収容した包装用箱１１の閉封状態を強固に保持することができる。また、容器本体部１２に収容された物品４を取り出す際には、破断部３８を破断する必要があるため、物品４を収容して閉封状態とした後に破断部３８が破断されれば、開封された場合に、その視認が容易となる。
【００３９】  また、容器本体部１２は、複数の壁板２１、２２、２３、２４を有し、開口部１４は、壁板２２の端縁で構成する第一口縁部４９を有し、閉封部１３は、複数の閉封フラップ３０、３１、３２、３３を有し、そのうちの一が第一口縁部４９に連設される第一閉封フラップ３１であり、第一閉封フラップ３１の第一口縁部４９と対向する側に、重合部３５を連設し、重合部３５に折線５２を介して係止フラップ３６を連設し、容器本体部１２に被係止部３７を設ける。
【００４０】  このため、容器本体部１２に物品４を収容し、第一閉封フラップ３１によって開口部１４を閉封し、係止フラップ３６を被係止部３７に挿通させ、係止フラップ３６と被係止部３７を係合するだけで、第一閉封フラップ３１が開封する方向へ移動するのを阻止して開口部１４の閉封を強固に保持することができる。
【００４１】  また、第一閉封フラップ３１に、開口部１４を閉封する第一被覆部３１ａと、容器本体部１２に被さる第二被覆部３１ｂとを設け、被係止部３７を容器本体部１２に設ける。
【００４２】  このため、閉封状態における容器本体部１２と閉封部１３との隙間を少なくすることができる。
また、開口部１４を閉封する第一被覆部３１ａに加えて、容器本体部１２に被さる第二被覆部３１ｂを設けることで、第一口縁部４９から係止フラップ３６までの間幅が広がる。このため、係止フラップ３６の可動域を大きくすることができ、被係止部３７に挿通させやすくなる。このため、特に包装用箱１１のような薄型の包装用箱に適している。
【００４３】  また、開口部１４は、第一口縁部４９と対向する側に、壁板２４の端縁で構成する第二口縁部５１と、第一口縁部４９に隣接する側に、壁板２１、２３の端縁で構成する第三口縁部４８、５０と、を有し、閉封部１３は、第二口縁部５１に連設される第二閉封フラップ３３と、第三口縁部４８、５０に連設される第三閉封フラップ３０、３２と、を有し、第二閉封フラップ３３の第二口縁部５１と対向する側に、開口部１４の閉封状態において、第一口縁部４９を構成する壁板２２の内面と第三閉封フラップ３０、３２との間隙に差し込まれる差込フラップ３４を連設し、破断部３８を、第一閉封フラップ３１に設ける。
【００４４】  このため、破断部３８を破断して開封した後に、再び第二閉封フラップ３３で開口部１４を閉封し、差込フラップ３４を壁板２２の内面と第三閉封フラップ３０、３２の端面との間隙に差し込んで、開口部１４の閉封を保持することができる。このとき、破断部３８は破断されているので、一旦開封された事実は視認容易である。
【００４５】  また、係止フラップ３６を被係止部３７に挿通した状態において、係止フラップ３６の被係止部３７と近接する側の端縁が係止端縁部３６ａ、３６ｂを構成し、係止端縁部３６ａ、３６ｂの端面が係止端面部３６ａａ、３６ｂｂを構成し、被係止部３７の係止端面部３６ａａ、３６ｂｂと対向する側の端縁が被係止端縁部３７ａ、３７ｂを構成し、被係止端縁部３７ａ、３７ｂの端面が被係止端面部３７ａａ、３７ｂｂを構成し、係止端面部３６ａａ、３６ｂｂが被係止端面部３７ａａ、３７ｂｂと接触して、係止フラップ３６と被係止部３７とが係合する。
【００４６】  このため、係止フラップ３６と被係止部３７との係合が強固となり、閉封部１３が開封する方向への移動するのを阻止して、開口部１４の閉封が保持される。
【００４７】  また、係止端面部に、第一係合状態において被係止端面部３７ａａと接触する第一係合接触部３６ａａａと、第一係合状態においては被係止端面部３７ａａ、３７ｂｂと非接触であって、第二係合状態において被係止端面部３７ｂｂと接触する第二係合接触部３６ｂｂｂと、を有する。
【００４８】  このため、第一係合状態及び第二係合状態において係止フラップ３６と被係止部３７との係合を継続することができ、閉封部１３が開封する方向へ移動するのを阻止して開口部１４の閉封状態が強固に保持される。
【００４９】  また、少なくとも被係止端面部３７ａａと接触する領域の係止端面部３６ａａの係止端縁部３６ａ、及び被係止端面部３７ｂｂと接触する領域の係止端面部３６ｂｂの係止端縁部３６ｂが、非直線形状である。
【００５０】  このため、係止フラップ３６と被係止部３７との係合により、閉封部１３が開封する方向へ移動するのを阻止するだけでなく、その左右方向へ移動するのをも阻止して開口部１４の閉封が強固に保持される。
【００５１】  また、少なくとも被係止端面部３７ａａと接触する領域の係止端面部３６ａａの係止端縁部３６ａが、第一口縁部４９に対して傾斜している。
【００５２】  このため、係止フラップ３６と被係止部３７との係合により、閉封部１３が開封する方向へ移動するのを阻止するだけでなく、その左右方向へ移動するのをも阻止して開口部１４の閉封が強固に保持される。
［第二実施形態］
【００５３】  本考案の第二実施形態に係る包装用箱１１１について、図９から図１２を用いて説明する。本実施形態において、第一実施形態と同様の部分については説明を省略し、異なる部分を中心に説明する。
【００５４】  包装用箱１１１は、図９に示す展開体２を組み立てて形成するものであり、第二被覆部３１ｂを有しない点、破断部１３８を壁板２１、２２に設けている点、開口部１４の他に開口部１１４を設けている点、閉封部１３の他に閉封部１１３を設けている点が第一実施形態における包装用箱１１と主には異なる。また、係止フラップ１３６の形状が第一実施形態における包装用箱１１の係止フラップ３６と異なる。
【００５５】  包装用箱１１１は、複数の壁板２１、２２、２３、２４が、開口部１４、開口部１１４を有する容器本体部１２を形成し、開口部１４、開口部１１４を閉封部１３、閉封部１１３が閉封するものである。
本実施形態においては閉封部１３と閉封部１１３は同様の構成であるため、閉封部１１３についての詳細な説明は省略する。
【００５６】  まず、包装用箱１１１の構成について、図９に示す展開体２に従って説明する。
図９に示す展開体２は、包装箱１１１の外面となる側を紙面手前側として示している。
なお、本実施形態の説明の便宜上、図９においては展開体２の図示上側を上側とし、これと反対側を下側として説明する。
【００５７】  容器本体部１２は、壁板２１、２２、２３、２４、及び接続板２５からなる。
壁板２２の上側の端縁は第一口縁部４９を、壁板２４の上側の端縁は第二口縁部５１を、壁板２１の上側の端縁は第三口縁部４８を、壁板２３の上側の端縁は第三口縁部５０を構成して、組み立て完成状態における開口部１４を形成する。第一口縁部４９、第二口縁部５１、第三口縁部４８、５０上には、折線を設けている。また、壁板２２の下側の端縁は第一口縁部１４５を、壁板２４の下側の端縁は第二口縁部１４７を、壁板２１の下側の端縁は第三口縁部１４４を、壁板２３の下側の端縁は第三口縁部１４６を構成して、組み立て完成状態における開口部１１４を形成する。第一口縁部１４５、第二口縁部１４７、第三口縁部１４４、１４６上には、折線を設けている。
壁板２２から壁板２１にかけては、略Ｌ字形状の切線が連続する２本の破断部１３８を形成している。２本の破断部１３８は壁板２２上で平行し、壁板２１上で右側に向かうに従って近づき、その先につまみ部１３８ａを形成している。また、つまみ部１３８ａと対向する側には、２本の破断線１３８を繋ぐ折線５４を形成している。また、組み立て完成状態においてつまみ部１３８ａと接続板２５とが重なる部分には、つまみ部１３８ａを差し込み可能に切線３９を形成している。
【００５８】  閉封部１３は、主に、第一閉封フラップ３１、第二閉封フラップ３３、第三閉封フラップ３０、３２からなる。第一閉封フラップ３１は、包装用箱１１１の閉封状態において開口部１４を被覆する第一被覆部３１ａを有する。
第一閉封フラップ３１の上側には、後述する係止フラップ１３６が重ねて固定される重合部３５を連続して形成している。
重合部３５の上側には、折線５２を介して係止フラップ１３６を連設している。係止フラップ１３６の上側の端縁は、下側に膨出する湾曲形状（非直線形状）の係止端縁部１３６ａを形成している。係止端縁部１３６ａの端面は係止端面部１３６ａａを構成する。
また、第二閉封フラップ３３には、被係止部１３７を形成している。被係止部１３７は、下側に膨出する湾曲形状の切線で形成している。被係止部１３７の上側の端縁は、被係止端縁部１３７ａを形成している。被係止端縁部１３７ａの端面は、被係止端面部１３７ａａを構成する。被係止部１３７の上側には、係止フラップ１３６を挿通させやすくするためのスリットを略ハの字状に配置している。
また、第二閉封フラップ３３の上側には、折線５３を介して差込フラップ３４を連設している。
閉封部１１３も同様の構成である。
【００５９】  次に、包装用箱１１１の組み立てについて図９、図１０に従って説明する。
図１０は、組み立て完成状態の包装用箱１１１の開口部１１４から物品４を収容する状態を示す斜視図である。
まず、容器本体部１２の組み立てについて説明する。
容器本体部１２は、夫々壁板を折線に沿って折り曲げて、切線３９付近を除き壁板２１の内面と接続板２５の外面とを固定して筒状に形成する。この状態において、第一口縁部４９、第二口縁部５１、第三口縁部４８、５０は開口部１４を形成する。また、第一口縁部１４５、第二口縁部１４７、第三口縁部１４４、第三口縁部１４６は開口部１１４を形成する。
【００６０】  次に、閉封部１３の組み立てについて説明する。
閉封部１３は、重合部３５と係止フラップ１３６との間の折線５２に沿って係止フラップ１３６を折り曲げ、重合部３５の内面に重ねて固定する。本実施形態ではエマルジョン接着剤を用いて、係止フラップ１３６の係止端縁部１３６ａが重合部３５と密着するように固定している。
閉封部１１３についても、同様に組み立てる。
【００６１】  上記のように、容器本体部１２、閉封部１３、閉封部１１３を組み立てることで包装用箱１１１は組み立て完成状態となる。
【００６２】  次に、包装用箱１１１の閉封状態と閉封保持状態について、図１０、図１１に従って説明する。
図１１は、包装用箱１１１に物品４を収容し、閉封した状態を示す斜視図である。
物品４を開口部１４又は開口部１１４或いは両方の開口部から容器本体部１２に収容した後、第一実施形態と同様に第三閉封フラップ３０、３２、第二閉封フラップ３３を夫々折線に沿って折り曲げて開口部１４側に被せ、差込フラップ３４を第三閉封フラップ３０、３２の端面と壁板２２の内面との間に差し込む。さらに、第一閉封フラップ３１を折線に沿って折り曲げて、開口部１４側に被せて閉封状態とする。そして、重合部３５、及び重合部３５の内面に重ねて固定された係止フラップ１３６を、第二閉封フラップ３３に形成した被係止部１３７に差し込んで挿通させれば、係止フラップ１３６と被係止部１３７とが係合して閉封保持状態となる。
開口部１１４についても、同様に閉封して係止フラップ１３６と被係止部１３７とを係合することで閉封保持状態となる。
【００６３】  係止フラップ１３６と被係止部１３７は、係止端面部１３６ａａが被係止端面部１３７ａａと接触して係合している。
【００６４】  次に、包装用箱１１１の破断状態について、図１２に従って説明する。
図１２は、破断部１３８を破断して、物品４を取り出し可能とした状態の斜視図である。
物品４を取り出すには、つまみ部１３８ａを手指でつまみ、上方へ引き上げて、破断部１３８を破断し、折線５４を基軸として破断部１３８を回動させて取り出し口を形成すればよい。この状態において、包装用箱１１１は、収容された物品４を取り出し可能な破断状態となる。
【００６５】  物品４を取り出した後に再び閉封する場合には、破断部１３８によって壁板２１、２２と分離された部分を取り出し口に被せ、つまみ部１３８ａを切線３９に差し込めば、取り出し口の閉封状態が保持される。
【００６６】  本実施形態による包装用箱１１１は、開口部１４、１１４を有し、開口部１４、１１４から物品４を収容する容器本体部１２と、開口部１４、１１４を閉封する閉封部１３、１１３と、を備える包装用箱１１１であって、重合部３５と、重合部３５に折線５２を介して連設され、重合部３５の内面に重ねて固定される係止フラップ１３６と、係止フラップ１３６が挿通して係合する被係止部１３７と、破断部１３８とを有し、開口部１４、１１４から容器本体部１２に物品４を収容し、閉封部１３、１１３によって開口部１４、１１４を閉封し、係止フラップ１３６を被係止部１３７に挿通して、係止フラップ１３６と被係止部１３７とを係合するとともに開口部１４、１１４の閉封を保持し、物品４を容器本体部１２から取り出す際には、破断部１３８を破断して取り出す。
【００６７】  このため、極めて簡単な構成でありながら、係止フラップ１３６と被係止部１３７との係合により、閉封部１３、１１３が開封する方向へ移動するのを阻止して、物品４を収容した包装用箱１１１の閉封状態を強固に保持することができる。また、容器本体部１２に収容された物品４を取り出す際には、破断部１３８を破断する必要があるため、物品４を収容して閉封した後に破断部１３８が破断されれば、開封された場合に、その視認が容易となる。
【００６８】  また、容器本体部１２は、複数の壁板２１、２２、２３、２４を有し、開口部１４，１１４は、壁板２２の端縁で構成する第一口縁部４９、１４５を有し、閉封部１３，１１３は、複数の閉封フラップ３０、３１、３２、３３を有し、そのうちの一が第一口縁部４９、１４５に連設される第一閉封フラップ３１であり、第一閉封フラップ３１の第一口縁部４９、１４５と対向する側に、重合部３５を連設し、重合部３５に折線５２を介して係止フラップ１３６を連設し、第二閉封フラップ３３に、被係止部１３７を設ける。
【００６９】  このため、容器本体部１２に物品４を収容し、第一閉封フラップ３１によって開口部１４、１１４を閉封し、係止フラップ１３６を被係止部１３７に挿通させ、係止フラップ１３６と被係止部１３７を係合するだけで、第一閉封フラップ３１が開封する方向へ移動するのを阻止して開口部１４、１１４の閉封を強固に保持することができる。
【００７０】  また、係止フラップ１３６を被係止部１３７に挿通した状態において、係止フラップ１３６の被係止部１３７と近接する側の端縁が係止端縁部１３６ａを構成し、係止端縁部１３６ａの端面が係止端面部１３６ａａを構成し、被係止部１３７の係止端面部１３６ａａと対向する側の端縁が被係止端縁部１３７ａを構成し、被係止端縁部１３７ａの端面が被係止端面部１３７ａａを構成し、係止端面部１３６ａａが被係止端面部１３７ａａと接触して、係止フラップ１３６と被係止部１３７とが係合する。
【００７１】  このため、係止フラップ１３６と被係止部１３７との係合が強固となり、閉封部１３、１１３が開封する方向へ移動するのを阻止して、開口部１４、１１４の閉封が保持される。
【００７２】  また、少なくとも被係止端面部１３７ａａと接触する領域の係止端面部１３６ａａの係止端縁部１３６ａが、非直線形状である。
【００７３】  このため、係止フラップ１３６と被係止部１３７との係合により、閉封部１３、１１３が開封する方向へ移動するのを阻止するだけでなく、その左右方向へ移動するのをも阻止して開口部１４の閉封が強固に保持される。
【００７４】  以上、本考案の第一実施形態、第二実施形態について説明したが、本考案はこれらの実施形態に限定されるものではない。例えば、図１３に示す包装用箱２１１のように、壁板２４に重合部１３５を連設し、重合部１３５の内面に係止フラップ２３６を重ねて固定し、閉封部２１３に被係止部２３７を設けてもよい。なお、包装用箱２１１では、係止フラップ２３６の係止端縁部２３６ａは直線形状に形成し、係止フラップ２３６を被係止部２３７に挿通した状態において、係止フラップ２３６の被係止部２３７と近接する側の端縁の係止端面部２３６ａａは、被係止部２３７の係止端面部２３６ａａと対向する側の被係止端縁部２３７ｃと接触して、係止フラップ２３６と被係止部２３７とが係合するとともに開口部１４の閉封を保持する。
容器本体部１２から収容した物品４を取り出す際には、破断部２３８を破断して取り出す。
【００７５】  また、本考案の係止フラップは、例えば第一実施形態では重合部３５に折線５２を介して連設されている（図１の展開体１における重合部３５の上側に連設されている）が、重合部の内面に重ねて固定されるものであれば、いずれの端縁から連設されるものであってもよい。つまり、例えば重合部３５の折線５２を有する端縁以外の端縁（図１の展開体１における重合部３５左右側）から連設して重ねられるものであっても、本考案の目的を達することができる。
【符号の説明】
【００７６】１、２        展開体
４            物品
１１、１１１、２１１    包装用箱
１２          容器本体部
１３、１１３、２１３    閉封部
１４、１１４  開口部
２１、２２、２３、２４、２６、２７、２８、２９  壁板
２５          接続板
３０、３２    第三閉封フラップ
３１          第一閉封フラップ
３１ａ        第一被覆部
３１ｂ        第二被覆部
３３          第二閉封フラップ
３４          差込フラップ
３５、１３５  重合部
３６、１３６、２３６  係止フラップ
３６ａ、１３６ａ  係止端縁部
３６ａａ、１３６ａａ、２３６ａａ  係止端面部
３６ａａａ    第一係合接触部
３６ｂ        係止端縁部
３６ｂｂ      係止端面部
３６ｂｂｂ    第二係合接触部
３７、１３７  被係止部
３７ａ、１３７ａ  被係止端縁部
３７ａａ、１３７ａａ    被係止端面部
３７ｂ        被係止端縁部
３７ｂｂ    被係止端面部
２３７ｃ    被係止端縁部
３８、１３８、２３８  破断部
３９        切線
４０、４１、４２、４３、４４、４５、４６、４７、５２、５３、５４  折線
４８、５０、１４４、１４６  第三口縁部
４９、１４５    第一口縁部
５１、１４７    第二口縁部
１００      隙間
１３８ａ    つまみ部
【図１】
0003189143.tif 000003
【図２】
0003189143.tif 000004
【図３】
0003189143.tif 000005
【図４】
0003189143.tif 000006
【図５】
0003189143.tif 000007
【図６】
0003189143.tif 000008
【図７】
0003189143.tif 000009
【図８】
0003189143.tif 000010
【図９】
0003189143.tif 000011
【図１０】
0003189143.tif 000012
【図１１】
0003189143.tif 000013
【図１２】
0003189143.tif 000014
【図１３】
0003189143.tif 000015